(57)【要約】  【課題】  洗浄ノズル体がヒータと上下方向で対向しない位置に洗浄ノズル体を確実に停止させることができ、食器の乾燥性能を低下させず、本体の小型化を図った食器洗い乾燥機を提供する。  【解決手段】  洗浄ノズル体３の下面に、中心周りの等角配置（１８０度配置）により、それぞれ同極性を有する２個の洗浄ノズル体側磁石３１、３１を配設し、洗浄槽２の下側仕切板２１上に、回転軸３ｂ周りの等角配置（１８０度配置）により、洗浄ノズル体側磁石３１、３１とは異なる極性を有し、２個の洗浄ノズル体側磁石３１、３１のそれぞれと上下方向で対向して、洗浄ノズル体３がヒータ４と上下方向で対向しない位置に洗浄ノズル体３を停止せしめる２個の洗浄槽側磁石２２、２２を配設する。【選択図】      図２
2006305197.tif 000002
【特許請求の範囲】
【請求項１】
洗浄槽内に配設され、複数のノズルから加圧された洗浄水を食器に向けて噴射し、該洗浄水の噴射反力により縦回転軸周りに回転しながら前記食器を洗浄する洗浄ノズル体と、前記洗浄槽の下側仕切板より下方に配設され、前記洗浄槽内の空気を加熱して前記食器を乾燥するヒータとを備える食器洗い乾燥機において、
前記洗浄ノズル体は、中心において前記下側仕切板上に設けられた回転軸により支持され、前記ヒータと上下方向で部分的且つ断続的に対向して回転するよう構成してあり、
前記洗浄ノズル体と前記下側仕切板との間で磁力を発生する構成を有し、前記洗浄ノズル体への洗浄水の送水が終了した際に、前記洗浄ノズル体と前記下側仕切板との間で磁力を作用させることで、前記洗浄ノズル体が前記ヒータと上下方向で対向する位置以外の位置に前記洗浄ノズル体を停止させる洗浄ノズル体停止手段を備えることを特徴とする食器洗い乾燥機。
【請求項２】
前記洗浄ノズル体停止手段は、前記洗浄ノズル体の下面に、前記中心周りの等角配置によりそれぞれ同極性を有して複数個又は前記中心から離隔した位置に１個設けられた洗浄ノズル体側磁石と、前記下側仕切板上に前記回転軸周りの等角配置により複数個設けられ、前記洗浄ノズル体側磁石とは異なる極性を有し、前記洗浄ノズル体側磁石のそれぞれ又は前記１個の洗浄ノズル体側磁石と上下方向で対向して前記洗浄ノズル体を停止せしめる洗浄槽側磁石とを備えることを特徴とする請求項１記載の食器洗い乾燥機。
【請求項３】
前記洗浄ノズル体停止手段は、前記洗浄ノズル体の下面に、前記中心周りの等角配置によりそれぞれ同極性を有して複数個又は前記中心から離隔した位置に１個設けられた洗浄ノズル体側磁石と、前記下側仕切板上に１個設けられ、前記洗浄ノズル体側磁石とは異なる極性を有し、前記複数の洗浄ノズル体側磁石の一つ又は前記１個の洗浄ノズル体側磁石と上下方向で対向して前記洗浄ノズル体を停止せしめる洗浄槽側磁石とを備えることを特徴とする請求項１記載の食器洗い乾燥機。
【請求項４】
前記洗浄ノズル体停止手段は、前記洗浄ノズル体の下面に、前記中心周りの等角配置によりそれぞれ同極性を有して複数個設けられた洗浄ノズル体側磁石と、前記下側仕切板上に前記回転軸周りの等角配置により複数個設けられ、前記洗浄ノズル体側磁石と同じ極性を有し、前記複数の洗浄ノズル体側磁石のそれぞれと上下方向で対向する位置から前記回転軸周りに前記等角配置の角度の半分だけ回転させて前記洗浄ノズル体を停止せしめる洗浄槽側磁石とを備えることを特徴とする請求項１記載の食器洗い乾燥機。
【請求項５】
前記洗浄ノズル体停止手段は、前記洗浄ノズル体の下面に、前記中心周りの等角配置によりそれぞれ同極性を有して複数個設けられた洗浄ノズル体側磁石と、前記洗浄槽の下側仕切板上に１個設けられ、前記洗浄ノズル体側磁石と同じ極性を有し、前記複数の洗浄ノズル体側磁石の一つと上下方向で対向する位置から前記回転軸周りに前記等角配置の角度の半分だけ回転させて前記洗浄ノズル体を停止せしめる洗浄槽側磁石とを備えることを特徴とする請求項１記載の食器洗い乾燥機。
【発明の詳細な説明】
【技術分野】
【０００１】
本発明は、食器の洗浄及び乾燥を行なう食器洗い乾燥機に関する。
【背景技術】
【０００２】
一般に、食器洗い乾燥機では、内部にヒータを設けることにより、取り込まれた外部の空気がヒータによって加熱され、加熱された空気を利用して食器の乾燥が行なわれ、食器を洗浄する洗浄液の加熱も併せて行なっている（例えば、特許文献１、２参照）。
【０００３】
特許文献１に開示されている食器洗い乾燥機では、食器の洗浄及び乾燥を行なう洗浄槽内へ外部からファンを用いて取り込んだ空気を通す通風経路内にヒータが設けられている。また、特許文献２に開示されている食器洗い乾燥機では、内部にヒータ、及び該ヒータを覆うヒータカバーが設けられている。食器の洗浄を行なう洗浄水と食器の乾燥を行なう空気とが、同一のヒータによって加熱される。
【０００４】
特許文献１及び特許文献２に開示されている食器洗い乾燥機には、食器を収納する食器籠と該食器籠の下方に配されるヒータとの間に、回転式の洗浄ノズル体が設けられている。この洗浄ノズル体は、一般的に羽根状を有し、洗浄ポンプからの洗浄水を食器に対して噴射し、噴射された洗浄水の反作用力（噴射反力）により略水平に回転しながら食器を洗浄する。そのため、洗浄ノズル体への送水が停止した際には洗浄ノズル体の回転は停止するが、停止位置が決まっていないこと、及び洗浄水の供給停止により洗浄ノズル体が冷却されないので、例えば、ヒータの近傍、特にその直上に洗浄ノズル体が停止した場合、洗浄ノズル体は乾燥工程におけるヒータの熱を過度に受ける。
【０００５】
かかる問題を回避するためには、例えば、特許文献１又は特許文献２に開示されているように、通風経路壁又はヒータカバーによって、ヒータと洗浄ノズル体との間に仕切りを設け、これにより洗浄ノズル体に対するヒータの熱影響を軽減することが考えられる。しかしながら、ヒータの直上に洗浄ノズル体が停止した状態でヒータが高温になった場合、洗浄ノズル体を構成する材質によっては、通風経路壁又はヒータカバーだけでは、ヒータの熱影響を回避することが困難なときもあり得る。このため、上記のような従来の食器洗い乾燥機では、ヒータの温度を低めに設定する、又はヒータと洗浄ノズル体との間の垂直方向距離を長くする等の対応が図られてきた。
【０００６】
また、洗浄ノズル体への送水が終了した際に、洗浄ノズル体がヒータと対向する位置以外の位置に洗浄ノズル体を停止させる構成を本願の出願人は提案した（特願２００４−４４３７０号）。この構成は、回転する洗浄ノズル体と固定の洗浄槽との機械的な係合を利用するものである。
【特許文献１】特開平８−９８７９８号公報
【特許文献２】特開２００２−６５５５８号公報
【発明の開示】
【発明が解決しようとする課題】
【０００７】
しかし、特許文献１又は特許文献２のような従来の食器洗い乾燥機において、洗浄ノズル体に対するヒータの熱影響を回避するために、ヒータの温度を低めに設定した場合、食器洗い乾燥機における乾燥性能が低下するという問題が生じる。また、ヒータと洗浄ノズル体との間の垂直方向距離を長くした場合、食器洗い乾燥機の小型化に制約を与える。
【０００８】
かかる問題を回避するために、上述の機械的な係合を利用した場合、係合部の構造が複雑になるという問題点がある。
【０００９】
本発明は、斯かる事情に鑑みてなされたものであり、その目的は、洗浄ノズル体と洗浄槽の下側仕切板との間に発生する磁気的な吸引力又は反発力を利用した簡単な構成で、洗浄ノズル体がヒータと上下方向で対向する位置以外の位置に洗浄ノズル体を確実に停止させることができ、食器の乾燥性能を低下させず、本体の小型化を図った食器洗い乾燥機を提供することにある。
【００１０】
本発明の他の目的は、洗浄ノズル体の下面に中心周りの等角配置により複数個の洗浄ノズル体側磁石を設け、洗浄槽の下側仕切板上に回転軸周りの等角配置により洗浄ノズル体側磁石と同じ個数だけ洗浄槽側磁石を設け、洗浄ノズル体側磁石と洗浄槽側磁石との間に生じる磁気的な吸引力又は反発力を利用することにより、簡単な構成で、洗浄ノズル体がヒータと上下方向で対向する位置以外の位置に洗浄ノズル体を確実に停止させることができる食器洗い乾燥機を提供することにある。
【００１１】
本発明の他の目的は、洗浄ノズル体の下面に中心周りの等角配置により複数個の洗浄ノズル体側磁石を設け、洗浄槽の下側仕切板上に１個の洗浄槽側磁石を設け、洗浄ノズル体側磁石と洗浄槽側磁石との間に生じる磁気的な吸引力又は反発力を利用することにより、洗浄ノズル体の回転に寄与する洗浄水の噴射反力に対する磁気的な吸引力又は反発力の影響を少なくし、複数の洗浄槽側磁石を用いた構成に比べて洗浄ノズル体の回転始動を容易にすることが可能であり、また使用する磁石の個数を減らすことで、製造コストを低減した食器洗い乾燥機を提供することにある。
【００１２】
本発明の他の目的は、洗浄ノズル体の下面で中心から離隔した位置に１個の洗浄ノズル体側磁石を設け、洗浄槽の下側仕切板上に回転軸周りの等角配置により複数個の洗浄槽側磁石を設け、洗浄ノズル体側磁石と洗浄槽側磁石との間に生じる磁気的な吸引力を利用することにより、洗浄ノズル体の回転に寄与する洗浄水の噴射反力に対する磁気的な吸引力の影響を少なくし、複数個の洗浄ノズル体側磁石を用いた構成に比べて洗浄ノズル体の回転始動を容易にすることが可能であり、また使用する磁石の個数を減らすことで、製造コストを低減した食器洗い乾燥機を提供することにある。
【００１３】
本発明の更なる他の目的は、洗浄ノズル体の下面で中心から離隔した位置に１個の洗浄ノズル体側磁石を設け、洗浄槽の下側仕切板上に１個の洗浄槽側磁石を設け、洗浄ノズル体側磁石と洗浄槽側磁石との間に生じる磁気的な吸引力を利用することにより、洗浄ノズル体の回転に寄与する洗浄水の噴射反力に対する磁気的な吸引力の影響を少なくし、複数個の洗浄ノズル体側磁石及び複数個の洗浄槽側磁石を用いた構成に比べて洗浄ノズル体の回転始動を容易にすることが可能であり、また使用する磁石の個数を減らすことで、製造コストを低減した食器洗い乾燥機を提供することにある。
【課題を解決するための手段】
【００１４】
前記目的を達成するため、本発明に係る食器洗い乾燥機は、洗浄槽内に配設され、複数のノズルから加圧された洗浄水を食器に向けて噴射し、該洗浄水の噴射反力により縦回転軸周りに回転しながら前記食器を洗浄する洗浄ノズル体と、前記洗浄槽の下側仕切板より下方に配設され、前記洗浄槽内の空気を加熱して前記食器を乾燥するヒータとを備える食器洗い乾燥機において、前記洗浄ノズル体は、中心において前記下側仕切板上に設けられた回転軸により支持され、前記ヒータと上下方向で部分的且つ断続的に対向して回転するよう構成してあり、前記洗浄ノズル体と前記下側仕切板との間で磁力を発生する構成を有し、前記洗浄ノズル体への洗浄水の送水が終了した際に、前記洗浄ノズル体と前記下側仕切板との間で磁力を作用させることで、前記洗浄ノズル体が前記ヒータと上下方向で対向する位置以外の位置に前記洗浄ノズル体を停止させる洗浄ノズル体停止手段を備えることを特徴とする。
【００１５】
本発明にあっては、洗浄ノズル体への送水が終了した際に、洗浄ノズル体停止手段が、洗浄ノズル体とヒータより上方に配置された洗浄槽の下側仕切板との間で磁力、即ち磁気的な吸引力又は反発力を作用させることで、洗浄ノズル体がヒータと上下方向で対向する位置以外の位置に洗浄ノズル体を停止させる。
【００１６】
また、本発明に係る食器洗い乾燥機は、前記洗浄ノズル体停止手段は、前記洗浄ノズル体の下面に、前記中心周りの等角配置によりそれぞれ同極性を有して複数個又は前記中心から離隔した位置に１個設けられた洗浄ノズル体側磁石と、前記下側仕切板上に前記回転軸周りの等角配置により複数個設けられ、前記洗浄ノズル体側磁石とは異なる極性を有し、前記洗浄ノズル体側磁石のそれぞれ又は前記１個の洗浄ノズル体側磁石と上下方向で対向して前記洗浄ノズル体を停止せしめる洗浄槽側磁石とを備えることを特徴とする。
【００１７】
本発明にあっては、洗浄ノズル体の下面に、中心周りの等角配置により複数個の洗浄ノズル体側磁石又は中心から離隔した位置に１個の洗浄ノズル体側磁石を設け、洗浄槽の下側仕切板上に、回転軸周りの等角配置により複数個の洗浄槽側磁石を設け、洗浄ノズル体への送水が終了した際に、複数個又は１個の洗浄ノズル体側磁石と複数個の洗浄槽側磁石との間で磁気的な吸引力を作用させることで、洗浄ノズル体が、ヒータと上下方向で対向する位置以外の位置に停止する。
【００１８】
また、本発明に係る食器洗い乾燥機は、前記洗浄ノズル体停止手段は、前記洗浄ノズル体の下面に、前記中心周りの等角配置によりそれぞれ同極性を有して複数個又は前記中心から離隔した位置に１個設けられた洗浄ノズル体側磁石と、前記下側仕切板上に１個設けられ、前記洗浄ノズル体側磁石とは異なる極性を有し、前記複数の洗浄ノズル体側磁石の一つ又は前記１個の洗浄ノズル体側磁石と上下方向で対向して前記洗浄ノズル体を停止せしめる洗浄槽側磁石とを備えることを特徴とする。
【００１９】
本発明にあっては、洗浄ノズル体の下面に、中心周りの等角配置により複数個の洗浄ノズル体側磁石又は中心から離隔した位置に１個の洗浄ノズル体側磁石を設け、洗浄槽の下側仕切板上に１個の洗浄槽側磁石を設け、洗浄ノズル体への送水が終了した際に、複数個又は１個の洗浄ノズル体側磁石と１個の洗浄槽側磁石との間で磁気的な吸引力を作用させることで、洗浄ノズル体が、ヒータと上下方向で対向する位置以外の位置に停止する。
【００２０】
また、本発明に係る食器洗い乾燥機は、前記洗浄ノズル体停止手段は、前記洗浄ノズル体の下面に、前記中心周りの等角配置によりそれぞれ同極性を有して複数個設けられた洗浄ノズル体側磁石と、前記下側仕切板上に前記回転軸周りの等角配置により複数個設けられ、前記洗浄ノズル体側磁石と同じ極性を有し、前記複数の洗浄ノズル体側磁石のそれぞれと上下方向で対向する位置から前記回転軸周りに前記等角配置の角度の半分だけ回転させて前記洗浄ノズル体を停止せしめる洗浄槽側磁石とを備えることを特徴とする。
【００２１】
本発明にあっては、洗浄ノズル体の下面に、中心周りの等角配置により複数個の洗浄ノズル体側磁石を設け、洗浄槽の下側仕切板上に、回転軸周りの等角配置により、洗浄ノズル体側磁石と同じ個数だけ洗浄槽側磁石を設け、洗浄ノズル体への送水が終了した際に、複数個の洗浄ノズル体側磁石と複数個の洗浄槽側磁石との間で磁気的な反発力を作用させることで、洗浄ノズル体が、ヒータと上下方向で対向する位置以外の位置に停止する。
【００２２】
また、本発明に係る食器洗い乾燥機は、前記洗浄ノズル体停止手段は、前記洗浄ノズル体の下面に、前記中心周りの等角配置によりそれぞれ同極性を有して複数個設けられた洗浄ノズル体側磁石と、前記洗浄槽の下側仕切板上に１個設けられ、前記洗浄ノズル体側磁石と同じ極性を有し、前記複数の洗浄ノズル体側磁石の一つと上下方向で対向する位置から前記回転軸周りに前記等角配置の角度の半分だけ回転させて前記洗浄ノズル体を停止せしめる洗浄槽側磁石とを備えることを特徴とする。
【００２３】
本発明にあっては、洗浄ノズル体の下面に、中心周りの等角配置により複数個の洗浄ノズル体側磁石を設け、洗浄槽の下側仕切板上に１個の洗浄槽側磁石を設け、洗浄ノズル体への送水が終了した際に、複数個の洗浄ノズル体側磁石と１個の洗浄槽側磁石との間で磁気的な反発力を作用させることで、洗浄ノズル体が、ヒータと上下方向で対向する位置以外の位置に停止する。
【発明の効果】
【００２４】
本発明によれば、機械的な係合を利用した従来の複雑な構成に比べて、磁力を利用するという簡単な構成で、洗浄ノズル体を確実に停止させることができ、食器の乾燥性能を低下させず、本体の小型化を図ることが可能となる。
【００２５】
また、複数個の洗浄ノズル体側磁石と複数個の洗浄槽側磁石との間に作用する磁気的な吸引力又は反発力を利用することにより、簡単な構成で、洗浄ノズル体がヒータと上下方向で対向する位置以外の位置に洗浄ノズル体を確実に停止させることが可能となる。
【００２６】
また、複数個の洗浄ノズル体側磁石と１個の洗浄槽側磁石との間に作用する磁気的な吸引力又は反発力を利用することにより、洗浄ノズル体がヒータと上下方向で対向する位置以外の位置に洗浄ノズル体を確実に停止させることの上記利点に加えて、洗浄槽側磁石を一つだけ用いることで、洗浄ノズル体の回転に寄与する洗浄水の噴射反力に対する磁気的な吸引力又は反発力の影響を少なくすることができるので、複数の洗浄槽側磁石を用いた構成に比べて洗浄ノズル体の回転始動を容易にすることが可能となり、また使用する磁石の個数が減るので、製造コストを低減することが可能となる。
【００２７】
また、１個の洗浄ノズル体側磁石と複数個の洗浄槽側磁石との間に作用する磁気的な吸引力を利用することにより、洗浄ノズル体がヒータと上下方向で対向する位置以外の位置に洗浄ノズル体を確実に停止させることの上記利点に加えて、洗浄ノズル体側磁石を一つだけ用いることで、洗浄ノズル体の回転に寄与する洗浄水の噴射反力に対する磁気的な吸引力の影響を少なくすることができるので、複数個の洗浄ノズル体側磁石を用いた構成に比べて洗浄ノズル体の回転始動を容易にすることが可能となり、また使用する磁石の個数が減るので、製造コストを低減することが可能となる。
【００２８】
更に、１個の洗浄ノズル体側磁石と１個の洗浄槽側磁石との間に作用する磁気的な吸引力を利用することにより、洗浄ノズル体がヒータと上下方向で対向する位置以外の位置に洗浄ノズル体を確実に停止させることの上記利点に加えて、洗浄ノズル体側磁石及び洗浄槽側磁石をそれぞれ一つだけ用いることで、洗浄ノズル体の回転に寄与する洗浄水の噴射反力に対する磁気的な吸引力の影響を少なくすることができるので、複数個の洗浄ノズル体側磁石及び複数個の洗浄槽側磁石を用いた構成に比べて洗浄ノズル体の回転始動を容易にすることが可能となり、また使用する磁石の個数が減るので、製造コストを低減することが可能となる。
【発明を実施するための最良の形態】
【００２９】
以下、本発明をその実施の形態を示す図面に基づいて詳述する。
（実施の形態１）
図１は、本発明の実施の形態１に係る食器洗い乾燥機の要部構成を示す正面断面図、図２は平面図である。なお、図１及び図２において、本発明の特徴的構成についてのみ図示し、その他の構成については、図面の明瞭化のため図示していない。
【００３０】
食器洗い乾燥機は、洗浄する食器（図示せず）を収容する洗浄槽２を筐体１の内部に設けており、洗浄槽２の内部には、洗浄ポンプ（図示せず）により加圧された洗浄水を複数のノズル３ａ、３ａ、３ａ、…から食器に向けて噴射し、洗浄水の噴射反力により略水平に回転する洗浄ノズル体３と、食器を洗浄する洗浄水及び食器を乾燥する空気を加熱するヒータ４と、該ヒータ４を覆うヒータカバー５とを備えている。
【００３１】
洗浄槽２は、食器の洗浄部と洗浄水を溜める底部とを仕切る下側仕切板２１を有する。下側仕切板２１の略中央には、洗浄ノズル体３を枢支する回転軸３ｂが設けられている。下側仕切板２１は、回転軸３ｂの左右にそれぞれ同極性を有する２個の洗浄槽側磁石２２、２２を備えている。
【００３２】
洗浄ノズル体３は、羽根状を有し、中心で回転軸３ｂにより枢支され、下面で中心から離隔した位置に、それぞれ同極性を有し、２個の洗浄槽側磁石２２、２２とは異なる極性を有する２個の洗浄ノズル体側磁石３１、３１を備えている。
【００３３】
ヒータ４は、回転軸３ｂより前方で下側仕切板２１に形成された切欠部の下方に配置され、１本の管を複数回折り返して形成される。この形状により、少ない実装面積で、洗浄時の洗浄水および乾燥時の空気の加熱に必要な発熱量が得られる。なお、ヒータ４の形状は、図２に示すような複数回の折り返しによる管形状を用いた直接加熱方式の構成に限られず、金属製の薄板と該薄板を加熱する高周波コイルとを用いた誘導加熱方式の構成とすることも可能である。
【００３４】
ヒータカバー５は、ヒータ４の上方にヒータ４の略全長にわたって覆うように配置され、洗浄中に洗浄ノズル体３から噴射された洗浄水が当たった勢いにより、食器が食器籠（図示せず）から落下し、落下した食器がヒータ４に接触することで、ヒータ４が破損し、又は木製の食器が焦げ或いは樹脂製の食器が溶けて悪臭を発生することを確実に防止するために設けられている。
【００３５】
洗浄槽２内に洗浄水を供給するために、後方上部において蛇口等の水源に連結される給水弁と、洗浄槽２の底部へと開口する給水口と、給水弁と給水口とを連通する給水通路とが設けられ、ヒータ４は、洗浄及びすすぎ工程において、上記給水弁、給水通路及び給水口を経て洗浄槽２内に供給され、洗浄槽２の底部に貯水された洗浄水を加熱して温水にし、温水にされた洗浄水は洗浄ポンプにより循環される。
【００３６】
また、洗浄槽２内に外気を取り込むために、左方前部において外気を吸い込む送風ファンと、洗浄槽２内のヒータ４の設置部へと開口する送風口と、送風ファンと送風口とを連通する送風通路とが設けられ、ヒータ４は、乾燥工程において、上記送風ファン、送風通路及び送風口を経て洗浄槽２内に取り込まれた外気を加熱し、加熱された外気は送風ファンにより温風として循環される。
【００３７】
次に、以上のように構成された食器洗い乾燥機における食器の洗浄から乾燥までの動作について説明する。
【００３８】
洗浄工程の開始により、洗浄水が蛇口等の水源から給水弁、給水通路及び給水口を経て洗浄槽２内に給水され、洗浄槽２の底部に貯水される。貯水された洗浄水は、食器洗浄を容易にするためヒータ４により加熱され温水になるとともに、洗浄ポンプの駆動により洗浄ポンプの吸込口から吸い込まれ、加圧されて洗浄ノズル体３に供給される。
【００３９】
洗浄ノズル体３に供給された洗浄水は、複数のノズルから食器に向けて噴射され、洗浄ノズル体３は、洗浄水の噴射反力（噴射推進力）が洗浄ノズル体側磁石３１、３１と洗浄槽側磁石２２、２２との間に作用する磁気的な吸引力に打ち勝つことで、水平方向に回転し始める。
【００４０】
洗浄ノズル体３が回転しながら複数のノズルから洗浄水が食器に向けて噴射され、食器の汚れが洗浄されて、汚れた洗浄水は洗浄槽２の底部に落下して貯水され、上記のように洗浄ポンプにより循環される。
【００４１】
洗浄水の循環による洗浄工程が終了したとき、汚れた洗浄水は、洗浄ポンプの駆動により洗浄ポンプの吸込口から吸い込まれ、切換弁の作用により洗浄ノズル体３ではなく排水路に供給されて、洗浄槽２の外部に排水される。同時に、洗浄ノズル体３への洗浄水の送水が終了するので、回転していた洗浄ノズル体３は、洗浄ノズル体側磁石３１、３１と洗浄槽側磁石２２、２２とが磁気的な吸引力により対向した位置、即ち洗浄ノズル体３がヒータ４と上下方向で対向する位置以外の位置に停止する。
【００４２】
排水により洗浄槽２の底部の洗浄水が一定水位にまで低下したとき、すすぎ工程へと移行し、洗浄工程と同様の動作で食器のすすぎが行われる。食器の洗浄工程及びすすぎ工程は１〜複数回行われる。
【００４３】
最後のすすぎ工程が終了し、排水により洗浄槽２の底部の洗浄水が一定水位にまで低下した後、食器の乾燥工程へと移行する。送風ファンの回転により外気が吸い込まれ、吸い込まれた外気は送風通路、送風口を経て洗浄槽２内へ送り込まれる。洗浄槽２内へ送り込まれた外気は、ヒータ４により加熱され、洗浄槽２内を循環することにより、食器を乾燥する。食器を乾燥することにより生じた水蒸気は、洗浄槽２の上部に設けた排気口から排気される。
【００４４】
以上説明したように、洗浄ノズル体３への洗浄水の送水が終了した際に、ヒータ４の直上で洗浄ノズル体３が停止することがないので、乾燥工程において、洗浄ノズル体３はヒータ４の熱影響を過度に受けなくなる。これにより、ヒータ４への供給電力を増やして発熱量を増大させることで、食器の乾燥性能を向上させることが可能となる。また、洗浄ノズル体３とヒータ４との間の垂直方向距離を短くすることができ、本体の小型化を図ることが可能となる。
【００４５】
また、例えば、機械的な係合を利用した従来の構成に比べて、洗浄ノズル体側磁石３１、３１と洗浄槽側磁石２２、２２との間に作用する磁気的な吸引力を利用するという簡単な構成で、洗浄ノズル体３がヒータ４と上下方向で対向する位置以外の位置に洗浄ノズル体３を確実に停止させることが可能となる。
【００４６】
（実施の形態２）
図３は、本発明の実施の形態２に係る食器洗い乾燥機の要部構成を示す正面断面図、図４は平面図である。なお、図３及び図４において、本発明の特徴的構成についてのみ明示し、その他の構成については、図面の明瞭化のため図示していない。また、実施の形態１と同様の構成を有する部分については、同一の符号を付し、以下では主に実施の形態１との相違点について説明する。
【００４７】
実施の形態１では、２個の洗浄ノズル体側磁石３１、３１と２個の洗浄槽側磁石２２、２２を備える構成について説明した。本実施の形態は、実施の形態１における２個の洗浄槽側磁石２２、２２のうち、回転軸３ｂの右側に配置されていた１個を削減した構成をとる。
【００４８】
この構成によれば、実施の形態１の利点に加えて、洗浄ノズル体３の回転に寄与する洗浄水の噴射反力に対する磁気的な吸引力の影響を少なくすることができるので、実施の形態１のような洗浄槽側磁石２２を２個用いた構成に比べて、洗浄ノズル体３の回転始動を容易にすることが可能となり、また使用する磁石の個数が減るので、製造コストを低減することが可能となる。
【００４９】
（実施の形態３）
図５は、本発明の実施の形態３に係る食器洗い乾燥機の要部構成を示す正面断面図、図６は平面図である。なお、図５及び図６において、本発明の特徴的構成についてのみ明示し、その他の構成については、図面の明瞭化のため図示していない。また、実施の形態１と同様の構成を有する部分については、同一の符号を付し、以下では主に実施の形態１との相違点について説明する。
【００５０】
下側仕切板２１は、回転軸３ｂの前後に、それぞれ同極性を有し、２個の洗浄ノズル体側磁石３１、３１と同じ極性を有する２個の洗浄槽側磁石１２２、１２２を備えている。
【００５１】
洗浄工程及びすすぎ工程が終了したとき、洗浄ノズル体３への洗浄水の送水が終了するので、回転していた洗浄ノズル体３は、洗浄ノズル体側磁石３１、３１と洗浄槽側磁石１２２、１２２とが磁気的な反発力により対向した位置から回転軸３ｂの周りに９０度だけ回転した位置、即ち洗浄ノズル体３がヒータ４と上下方向で対向する位置以外の位置に停止する。
【００５２】
以上説明したように、洗浄ノズル体３への洗浄水の送水が終了した際に、ヒータ４の直上で洗浄ノズル体３が停止することがないので、乾燥工程において、洗浄ノズル体３はヒータ４の熱影響を過度に受けなくなる。これにより、ヒータ４への供給電力を増やして発熱量を増大させることで、食器の乾燥性能を向上させることが可能となる。また、洗浄ノズル体３とヒータ４との間の垂直方向距離を短くすることができ、本体の小型化を図ることが可能となる。
【００５３】
また、例えば、機械的な係合を利用した従来の構成に比べて、洗浄ノズル体側磁石３１、３１と洗浄槽側磁石１２２、１２２との間に作用する磁気的な反発力を利用するという簡単な構成で、洗浄ノズル体３がヒータ４と上下方向で対向する位置以外の位置に洗浄ノズル体３を確実に停止させることが可能となる。
【００５４】
（実施の形態４）
図７は、本発明の実施の形態４に係る食器洗い乾燥機の要部構成を示す正面断面図、図８は平面図である。なお、図７及び図８において、本発明の特徴的構成についてのみ明示し、その他の構成については、図面の明瞭化のため図示していない。また、実施の形態３と同様の構成を有する部分については、同一の符号を付し、以下では主に実施の形態３との相違点について説明する。
【００５５】
実施の形態３では、２個の洗浄ノズル体側磁石３１、３１と２個の洗浄槽側磁石１２２、１２２を備える構成について説明した。本実施の形態は、実施の形態３における２個の洗浄槽側磁石１２２のうち、回転軸３ｂの後側に配置されていた１個を削減した構成をとる。
【００５６】
この構成によれば、実施の形態３の利点に加えて、洗浄ノズル体３の回転に寄与する洗浄水の噴射反力に対する磁気的な反発力の影響を少なくすることができるので、実施の形態３のような洗浄槽側磁石１２２を２個用いた構成に比べて、洗浄ノズル体３の回転始動を容易にすることが可能となり、また使用する磁石の個数が減るので、製造コストを低減することが可能となる。
【００５７】
（他の実施の形態）
尚、実施の形態１及び実施の形態２では、洗浄ノズル体３と洗浄槽２の下側仕切板２１とに永久磁石を設け、磁気的な吸引力を利用する構成について例示及び説明したが、本発明は上記の構成に限定されず、洗浄ノズル体側磁石３１に代えて金属体を設け、洗浄槽側磁石２２（１２２）に代えて絶縁被覆を施したコイル等の誘導性素子を設けて、該誘導性素子への通電により金属体と誘導性素子との間で電磁的な吸引力を発生させることで、本発明を具現化することも可能である。
【００５８】
この場合、洗浄ノズル３への送水が終了するまで、洗浄槽２の下側仕切板２１に設けた誘導性素子への通電を停止しておき、洗浄ノズル体３への送水が終了した時点で、上記誘導性素子への通電を開始する。これにより、洗浄ノズル体３の回転始動時及び回転中は、洗浄ノズル体３の回転に寄与する洗浄水の噴射反力が電磁的な吸引力の影響を全く受けないので、実施の形態２の構成に比べて、洗浄ノズル体３の回転始動を更に容易にし、且つ回転中における洗浄ノズル体３の回転速度の変動を抑えることが可能となる。
【００５９】
また、実施の形態１〜実施の形態４では、洗浄ノズル体側磁石を２個設けた羽根状の洗浄ノズル体３について例示及び説明したが、本発明はかかる構成に限定されず、洗浄ノズル体側磁石を３個以上設けた多羽根状の洗浄ノズル体にも適用することが可能である。
【００６０】
また、実施の形態１及び実施の形態２では、羽根状の洗浄ノズル体３に洗浄ノズル体側磁石を２個設けた構成について例示及び説明したが、本発明はかかる構成に限定されず、羽根状の洗浄ノズル体３に洗浄ノズル体側磁石を１個のみ設けた構成にも適用することが可能である。
【図面の簡単な説明】
【００６１】
【図１】本発明の実施の形態１に係る食器洗い乾燥機の要部構成を示す正面断面図である。
【図２】本発明の実施の形態１に係る食器洗い乾燥機の要部構成を示す平面図である。
【図３】本発明の実施の形態２に係る食器洗い乾燥機の要部構成を示す正面断面図である。
【図４】本発明の実施の形態２に係る食器洗い乾燥機の要部構成を示す平面図である。
【図５】本発明の実施の形態３に係る食器洗い乾燥機の要部構成を示す正面断面図である。
【図６】本発明の実施の形態３に係る食器洗い乾燥機の要部構成を示す平面図である。
【図７】本発明の実施の形態４に係る食器洗い乾燥機の要部構成を示す正面断面図である。
【図８】本発明の実施の形態４に係る食器洗い乾燥機の要部構成を示す平面図である。
【符号の説明】
【００６２】
１  筐体
２  洗浄槽
３  洗浄ノズル体
４  ヒータ
５  ヒータカバー
２１  洗浄槽の下側仕切板
２２  洗浄槽側磁石
３１  洗浄ノズル体側磁石
１２２  洗浄槽側磁石
３ａ  ノズル
３ｂ  回転軸
【図１】
2006305197.tif 000003
【図２】
2006305197.tif 000004
【図３】
2006305197.tif 000005
【図４】
2006305197.tif 000006
【図５】
2006305197.tif 000007
【図６】
2006305197.tif 000008
【図７】
2006305197.tif 000009
【図８】
2006305197.tif 000010